(57)【特許請求の範囲】
【請求項１】
操作方向の異なるプッシュ釦とスライド釦が操作部材として筐体に取り付けられてなる装置において、
上記プッシュ釦とスライド釦を接続部を介して一体に成形し、この一体成形品を上記筐体に取り付けると同時に上記接続部を切断して、上記プッシュ釦とスライド釦を夫々所定の方向に操作可能に分離するようにしたことを特徴とする操作部材の取り付け構造。
【請求項２】
上記プッシュ釦とスライド釦は、切断された接続部の残片の高さ位置が互いに異なる状態で上記筐体に取り付けられることを特徴とする請求項１に記載の操作部材の取り付け構造。
【発明の詳細な説明】
【０００１】
【発明の属する技術分野】
本発明は、操作方向の異なる複数種の操作部材としてプッシュ釦とスライド釦とを備えてなる装置において、その操作部材の取り付け構造に関するものである。
【０００２】
【従来の技術】
先ず、図４〜図６を参照して従来例を説明する。
【０００３】
ここでは、操作方向の異なる複数種の操作部材を有する装置として、携帯用の小型カセットプレーヤを例示してある。
【０００４】
図４において１はカセットプレーヤを全体として示し、２はこのカセットプレーヤ１の筐体である。この図では明確に表われていないが、図示の状態のカセットプレーヤ１の下面側にテープカセットが装着されるようになっている。即ち図において３はカセット蓋で、このカセット蓋３が筐体２に対し開いてテープカセットが挿入装着される。
【０００５】
そしてこのテープカセット装着部と反対側の面、即ち図示のカセットプレーヤ１の筐体２の上面２Ａ側に、カセットプレーヤを動作させるための操作部４が設けられている。
【０００６】
この操作部４には、操作部材として、左右に二つずつ計四つのプッシュ式の操作釦（以下プッシュ釦という）５と、この左右のプッシュ釦５の中間に配されるスライド式の操作釦（以下スライド釦という）６とが設けられている。
【０００７】
ここで例えば四つのプッシュ釦５は、夫々プレイ（ＰＬＡＹ）釦、停止（ＳＴＯＰ）釦、早送り（ＦＦ）釦、巻き戻し（ＲＥＷ）釦であり、またスライド釦６はカセットプレーヤが停止または動作している状態でその状態を保持するためのホールド（ＨＯＬＤ）釦である。
【０００８】
プッシュ釦５は、筐体２の上面２Ａに対し垂直方向（矢印Ｐ方向）に押して操作するものであり、またスライド釦６は水平方向（矢印Ｓ方向）に移動させて操作するものである。
【０００９】
筐体２の内部には、プッシュ釦５の夫々の直下に位置してプッシュ式のスイッチが設けられ、またスライド釦６の直下に位置してスライド式のスイッチが設けられており、これらのスイッチが夫々プッシュ釦５及びスライド釦６で操作されることによって各釦に対応したカセットプレーヤの動作が行なわれる。
【００１０】
図５及び図６はプッシュ釦５とスライド釦６の筐体２への取り付け構造を示している。
【００１１】
プッシュ釦５とスライド釦６は、ＡＢＳなどのプラスチックを材料として成形された筐体２の裏側に取り付けられるもので、筐体２にはプッシュ釦５とスライド釦６の夫々の操作面が表出される穴部７と８が形成されている。
【００１２】
プッシュ釦５は、裏板部５Ａと、この裏板部５Ａから延びる腕部５Ｂ、及び固定板部５Ｃと一体に成形されている。この例では、左右において夫々二つのプッシュ釦５が共通の固定板部５Ｃと一体に成形されている。
【００１３】
固定板部５Ｃには複数の固定穴９が形成されており、この固定穴９においてプッシュ釦５は溶着によって筐体２の裏側に取り付けられる。
【００１４】
即ち、図７Ａに示すように筐体２の裏側には、固定板部５Ｃの固定穴９に対応して溶着ピン１０が突設されており、この溶着ピン１０を固定穴９に通した状態で同図Ｂのように溶着ピン１０の先端部を超音波などで溶融させて潰す（かしめる）ことによって固定板部５Ｃを固着し、プッシュ釦５を取り付ける。
【００１５】
腕部５Ｂはプッシュ釦５が押されたときに撓む部分であり、即ちこの腕部５Ｂが撓むことによってプッシュ釦５は押し込み方向に移動操作される。
【００１６】
図６においてプッシュ釦５の裏板部５Ａの裏側に形成されている突起部１１は、筐体２の内部に配設されるプッシュ式スイッチを押す部分である。
【００１７】
一方、スライド釦６は裏板部６Ａを一体に有して成形されており、この裏板部６Ａの前部と後部に夫々形成された左右一対の長穴１２ａ，１２ｂにおいて筐体２の裏側に嵌め込みによって取り付けられる。
【００１８】
即ち、図８Ａに示すように筐体２の裏側には、スライド釦の裏板部６Ａの長穴１２ａ，１２ｂに対応して外向きの爪部を有する係合突起１３ａ，１３ｂが対称的に突設されており、この係合突起１３ａ，１３ｂの爪部に長穴１２ａ，１２ｂを係合させるように同図Ｂの如く裏板部６Ａを嵌め込み、スライド釦６を取り付ける。
【００１９】
図６においてスライド釦６の裏板部６Ａの裏側に形成されている係合部１４は、筐体２の内部に配設されるスライド式スイッチと連結される部分である。
【００２０】
尚、以上のプッシュ釦５とスライド釦６とは、何れもプラスチックを材料として成形され、さらに表面には全体的に鍍金が施されてなるものである。
【００２１】
【発明が解決しようとする課題】
以上の如き従来の構造では、プッシュ釦５とスライド釦６とは全く別の方向に操作される操作部材であるため、夫々別の部品として扱われていた。
【００２２】
そのため、プッシュ釦５とスライド釦６とで夫々別個の成形金型を起こしていたので、金型の費用を多く要し、また鍍金もプッシュ釦５とスライド釦６とで夫々別個に施すため手間がかかり、さらに部品管理も夫々で行なっていたため、コスト高となっていた。
【００２３】
さらに、プッシュ釦５とスライド釦６を筐体２に取り付ける際には、夫々別の工程で溶着と嵌め込みを行なっていたので、工数が多くかかり、作業効率が悪かった。
【００２４】
本発明は、このような問題点を解消することを目的としてなされたものである。
【００２５】
【課題を解決するための手段】
上記の目的を達成するために本発明は、操作方向の異なる複数種の操作部材としてプッシュ釦とスライド釦が筐体に取り付けられてなる装置において、プッシュ釦とスライド釦を接続部を介して一体に成形し、この一体成形品を筐体に取り付けると同時に接続部を切断して、プッシュ釦とスライド釦を夫々所定の方向に操作可能に分離する構造としたものである。
【００２６】
このような構造では、プッシュ釦とスライド釦を一体に成形したことにより、これを一つの部品として扱うことができるので、低コスト化が可能となり、また取り付けの際の工数も減少する。
【００２７】
【発明の実施の形態】
以下、本発明の実施の形態を図面に示す実施例を参照して詳細に説明する。
【００２８】
本例においても、前述した従来例と同じように、操作方向の異なる複数種の操作部材を有する装置として、図４に示す如き携帯用の小型カセットプレーヤを例示して説明する。
【００２９】
図４に示すカセットプレーヤ１は、前述した如く筐体２の上面２Ａに操作部４を有し、この操作部４には操作部材として、左右に二つずつ計四つのプッシュ釦５と、この左右のプッシュ釦５の中間に配されるスライド釦６とが設けられている。
【００３０】
プッシュ釦５は、筐体２の上面２Ａに対し垂直方向（矢印Ｐ方向）に押して操作するものであり、またスライド釦６は水平方向（矢印Ｓ方向）に移動させて操作するものである。
【００３１】
これらプッシュ釦５とスライド釦６の筐体２への取り付け構造を図１及び図２に示す。
【００３２】
ここで基本的な構造は、前述した図５及び図６の従来例と同様である。
【００３３】
即ち、先ずプッシュ釦５とスライド釦６は、ＡＢＳなどのプラスチックを材料として成形された筐体２の裏側に取り付けられるもので、筐体２にはプッシュ釦５とスライド釦６の夫々の操作面が表出される穴部７と８が形成されている。
【００３４】
プッシュ釦５は、裏板部５Ａと、この裏板部５Ａから延びる腕部５Ｂ、及び固定板部５Ｃと一体に成形されている。この例では、左右において夫々二つのプッシュ釦５が共通の固定板部５Ｃと一体に成形されている。
【００３５】
固定板部５Ｃには複数の固定穴９が形成されており、この固定穴９においてプッシュ釦５は溶着によって筐体２の裏側に取り付けられる。
【００３６】
即ち、図７Ａに示すように筐体２の裏側には、固定板部５Ｃの固定穴９に対応して溶着ピン１０が突設されており、この溶着ピン１０を固定穴９に通した状態で同図Ｂのように溶着ピン１０の先端部を超音波などで溶融させて潰す（かしめる）ことによって固定板部５Ｃを固着し、プッシュ釦５を取り付ける。
【００３７】
腕部５Ｂはプッシュ釦５が押されたときに撓む部分であり、即ちこの腕部５Ｂが撓むことによってプッシュ釦５は押し込み方向に移動操作される。
【００３８】
図２においてプッシュ釦５の裏板部５Ａの裏側に形成されている突起部１１は、筐体２の内部に配設されるプッシュ式スイッチを押す部分である。
【００３９】
一方、スライド釦６は裏板部６Ａを一体に有して成形されており、この裏板部６Ａの前部と後部に夫々形成された左右一対の長穴１２ａ，１２ｂにおいて筐体２の裏側に嵌め込みによって取り付けられる。
【００４０】
即ち、図８Ａに示すように筐体２の裏側には、スライド釦の裏板部６Ａの長穴１２ａ，１２ｂに対応して外向きの爪部を有する係合突起１３ａ，１３ｂが対称的に突設されており、この係合突起１３ａ，１３ｂの爪部に長穴１２ａ，１２ｂを係合させるように同図Ｂの如く裏板部６Ａを嵌め込み、スライド釦６を取り付ける。
【００４１】
図２においてスライド釦６の裏板部６Ａの裏側に形成されている係合部１４は、筐体２の内部に配設されるスライド式スイッチと連結される部分である。
【００４２】
本例の構造にあっては、以上のプッシュ釦５とスライド釦６とは、図１で明らかなように一体の成形部品２０として成形される。
【００４３】
即ちこの一体成形部品２０は、プッシュ釦５の裏板部５Ａとスライド釦６の裏板部６Ａとの間を接続部２１を介して一体に連結した形状に成形される。
【００４４】
接続部２１には図３Ａに示す如く薄肉部２１ａがあり、この薄肉部２１ａにおいて簡単に切断できるようになっている。
【００４５】
尚、このプッシュ釦５とスライド釦６の一体成形部品２０はプラスチックを材料として成形され、さらに表面には全体的に鍍金が施されてなるものである。
【００４６】
そしてこのプッシュ釦５とスライド釦６の一体成形部品２０を筐体２に取り付けるときには、前述した図７及び図８の如くしてプッシュ釦５を溶着によって取り付けると共にスライド釦６を嵌め込みによって取り付け、これと同時に図３Ｂに示すように接続部２１を切断してプッシュ釦５とスライド釦６とを分離する。
【００４７】
このようにプッシュ釦５とスライド釦６とを分離することにより、プッシュ釦５とスライド釦６とは夫々所定の方向（図４において夫々矢印Ｐ方向とＳ方向）に移動操作が可能となる。
【００４８】
また特に本例の構造においては、図３Ｂに示す如く、プッシュ釦５とスライド釦６とは、切断された接続部２１の残片２１Ａと２１Ｂの高さ位置が互いに異なる状態、つまりここではプッシュ釦５側の残片２１Ａがスライド釦６側の残片２１Ｂより下にずれた状態で筐体２に取り付けられる。
【００４９】
このため、プッシュ釦５を操作するときには、プッシュ釦５側の残片２１Ａがスライド釦６側の残片２１Ｂに接触することはなく、またスライド釦６を操作するときには、スライド釦６側の残片２１Ｂがプッシュ釦５側の残片２１Ａに接触することもない。従って、プッシュ釦５とスライド釦６とは、互いに干渉することなく円滑に操作されることになる。
【００５０】
以上の如き本例の構造においては、プッシュ釦５とスライド釦６とを一体の成形部品２０として成形したことにより、これを一つの部品として扱うことができる。従って、その成形金型は一つで済むため金型に要する費用を安く抑えることができ、また鍍金も一回の工程で済み、さらに部品管理も容易となるので、低コスト化が可能となる。
【００５１】
さらに取り付けの際には、プッシュ釦５の溶着作業とスライド釦６の嵌め込み作業とを同じ工程で一度に行ない、同時に接続部２１を切断してプッシュ釦５とスライド釦６とを分離するので、取り付けに要する工程が従来よりも減少し、作業効率が向上する。
【００５２】
また本例の構造においてプッシュ釦５とスライド釦６とは、切断された接続部２１の残片２１Ａと２１Ｂの高さ位置が互いに異なる状態で筐体２に取り付けられていることにより、夫々の操作時には互いに干渉することなく円滑に操作される。
【００５３】
以上、本発明の実施例について説明したが、本発明はここに例示したカセットプレーヤに限ることなく、操作方向の異なる複数種の操作部材を有する各種の装置に幅広く適用できるものである。
【００５４】
さらに実施例においては、操作方向の異なる複数種の操作部材としてプッシュ釦５とスライド釦６の二種類の操作釦を示したが、これが三種類以上ある場合でも本発明の適用が可能であることは勿論である。
【００５５】
【発明の効果】
以上に説明した如く本発明の構造は、操作方向の異なるプッシュ釦とスライド釦を一体に成形することにより、これを１つの部品として扱うことができるので、金型費用が安く抑えられ、また鍍金を施す場合も一回の工程で済み、さらに部品管理も容易となるので、低コスト化が可能となる。さらに取り付けの際には、プッシュ釦とスライド釦を一度に取り付け、同時に接続部を切断してプッシュ釦とスライド釦を分離するようにしたので、取り付けに要する工数が従来よりも減少し、作業性が向上する。
【００５６】
また本発明の構造においてプッシュ釦とスライド釦は、切断された接続部の残片の高さ位置が互いに異なる状態で筐体に取り付けられることにより、夫々の操作時には互いに干渉することなく円滑に操作される。
【図面の簡単な説明】
【図１】本発明による操作部材の取り付け構造を示す分解斜視図である。
【図２】同、筐体の裏側から見た平面図である。
【図３】同、要部（接続部）の側面図である。
【図４】携帯用小型カセットプレーヤの斜視図である。
【図５】従来の操作部材の取り付け構造を示す分解斜視図である。
【図６】同、筐体の裏側から見た平面図である。
【図７】操作部材（プッシュ釦）の溶着による取り付けの説明図である。
【図８】操作部材（スライド釦）の嵌め込みによる取り付けの説明図である。
【符号の説明】
２  筐体、５  プッシュ釦（操作部材）、６  スライド釦（操作部材）、９  固定穴、１０  溶着ピン、１２ａ，１２ｂ  長穴、１３ａ，１３ｂ  係合突起、２０  一体成形部品、２１  接続部、２１Ａ，２１Ｂ  残片
【図１】
0003689959.tif 000002
【図２】
0003689959.tif 000003
【図３】
0003689959.tif 000004
【図４】
0003689959.tif 000005
【図５】
0003689959.tif 000006
【図６】
0003689959.tif 000007
【図７】
0003689959.tif 000008
【図８】
0003689959.tif 000009